(57)【要約】【課題】入退室カードを利用しないでもセキュリティ性を維持した入退室管理を実現しうる入退室管理システムを提供する。【解決手段】データセンター２は、部屋の扉の前に立つユーザの監視カメラ１２による撮影画像を取得する画像取得部２１と、画像解析部２２が撮影画像を解析して抽出したユーザの画像をユーザ情報記憶部２７に登録されているユーザの顔画像と照合することで撮影されたユーザを特定するユーザ特定部２３と、撮影画像と共に取得した扉ＩＤとユーザのユーザＩＤとを含むＱＲコードを生成するＱＲコード生成部２４と、ＱＲコードを当該ユーザの携帯端末１１へメール送信するＱＲコード送信部２５と、を有する。入退室管理システム４は、ユーザが携帯端末１１の画面に表示したＱＲコードを読み取るＱＲコード読取部４１と、ＱＲコードを解読してユーザ認証を行うユーザ認証部４３と、を有する。【選択図】図２
2020042374.tif 000002
【特許請求の範囲】
【請求項１】
ユーザの識別情報に、当該ユーザの画像及び当該ユーザの携帯端末への連絡先情報が対応付された個人情報を記憶する記憶手段と、
部屋の扉の前にユーザが立つと当該ユーザを撮影する撮影手段からの撮影画像を取得する取得手段と、
前記撮影画像を解析することによって人物画像を抽出する画像解析手段と、
前記撮影画像から抽出された人物画像を前記個人情報に含まれる画像と照合することによって前記撮影手段により撮影されたユーザを特定する特定手段と、
前記特定手段により特定されたユーザの識別情報を解読可能に含む認証コードを生成するコード生成手段と、
前記コード生成手段により生成された認証コードを当該ユーザの携帯端末宛に送信するコード送信手段と、
部屋の扉近傍に設置され、入室しようとするユーザによる操作に応じて入力される認証コードを受け付けるコード受付手段と、
前記コード受付手段が認証コードを受け付けると、当該認証コードに基づきユーザ認証を行う認証手段と、
前記認証手段によりユーザ認証されると当該部屋の扉の電気錠を解錠するよう制御する扉制御手段と、
を有することを特徴とする入退室管理システム。
【請求項２】
前記コード受付手段は、前記認証コードとして生成されたデータコードであって前記携帯端末を携行するユーザによる操作に応じて前記携帯端末に画面表示されたデータコードを読み取るコードリーダであることを特徴とする請求項１に記載の入退室管理システム。
【請求項３】
前記コード受付手段は、前記認証コードとして生成された文字列であって前記携帯端末を携行するユーザに操作させることで文字列を入力させるキー入力手段であることを特徴とする請求項１に記載の入退室管理システム。
【請求項４】
前記コード受付手段は、前記認証コードとして生成されたデータコードであって前記携帯端末を携行するユーザによる操作に応じて前記携帯端末に画面表示されたデータコードを撮影する撮影手段であることを特徴とする請求項１に記載の入退室管理システム。
【請求項５】
外来者の個人情報を前記記憶手段に登録する個人情報登録手段を有することを特徴とする請求項１に記載の入退室管理システム。
【発明の詳細な説明】
【技術分野】
【０００１】
本発明は、入退室管理システム、特に入退室カードを利用しない入退室管理に関する。
【背景技術】
【０００２】
入退室管理システムを導入しているビル等の施設においては、通常、施設利用者に入退室カードを携行させ、各部屋の出入口に設置されているカードリーダに読み取らせることで施設利用者の入退室を管理している。また、入室が制限されているユーザに対しては、入退室カードを読み取らせたとしても扉を施錠したままにして入室できないように制御する。
【先行技術文献】
【特許文献】
【０００３】
【特許文献１】特開２０１７−０３３４８１号公報
【特許文献２】特開２００５−１８２４０３号公報
【発明の概要】
【発明が解決しようとする課題】
【０００４】
従来の入退室カードを利用した入退室管理システムは、入室の権限のあるユーザが入室したい場合でも入退室カードがないと入室することができない。仮に入退室カードを紛失した場合には再発行に伴う処理やコストがかかってしまう。
【０００５】
一方、入室の権限のないユーザであっても入室の権限のあるユーザの入退室カードを不正に入手してしまえば、入室することができてしまう。
【０００６】
このように、入退室カードに依存した入退室管理では、種々の不都合が生じてしまう場合が発生しうる。
【０００７】
本発明は、入退室カードを利用しないでもセキュリティ性を維持した入退室管理を実現しうる入退室管理システムを提供することを目的とする。
【課題を解決するための手段】
【０００８】
本発明に係る入退室管理システムは、ユーザの識別情報に、当該ユーザの画像及び当該ユーザの携帯端末への連絡先情報が対応付された個人情報を記憶する記憶手段と、部屋の扉の前にユーザが立つと当該ユーザを撮影する撮影手段からの撮影画像を取得する取得手段と、前記撮影画像を解析することによって人物画像を抽出する画像解析手段と、前記撮影画像から抽出された人物画像を前記個人情報に含まれる画像と照合することによって前記撮影手段により撮影されたユーザを特定する特定手段と、前記特定手段により特定されたユーザの識別情報を解読可能に含む認証コードを生成するコード生成手段と、前記コード生成手段により生成された認証コードを当該ユーザの携帯端末宛に送信するコード送信手段と、部屋の扉近傍に設置され、入室しようとするユーザによる操作に応じて入力される認証コードを受け付けるコード受付手段と、前記コード受付手段が認証コードを受け付けると、当該認証コードに基づきユーザ認証を行う認証手段と、前記認証手段によりユーザ認証されると当該部屋の扉の電気錠を解錠するよう制御する扉制御手段と、を有することを特徴とする。
【０００９】
また、前記コード受付手段は、前記認証コードとして生成されたデータコードであって前記携帯端末を携行するユーザによる操作に応じて前記携帯端末に画面表示されたデータコードを読み取るコードリーダであることを特徴とする。
【００１０】
また、前記コード受付手段は、前記認証コードとして生成された文字列であって前記携帯端末を携行するユーザに操作させることで文字列を入力させるキー入力手段であることを特徴とする。
【００１１】
また、前記コード受付手段は、前記認証コードとして生成されたデータコードであって前記携帯端末を携行するユーザによる操作に応じて前記携帯端末に画面表示されたデータコードを撮影する撮影手段であることを特徴とする。
【００１２】
また、外来者の個人情報を前記記憶手段に登録する個人情報登録手段を有することを特徴とする。
【発明の効果】
【００１３】
本発明によれば、ユーザが携行する携帯端末を有効利用することで、入退室カードを利用しないでもセキュリティ性を維持した入退室管理を実現することができる。
【図面の簡単な説明】
【００１４】
【図１】本発明に係る入退室管理システムの一実施の形態を示す概略的な全体構成図である。
【図２】本実施の形態においてビルに設置されている監視カメラシステム及び入退室管理システムと、データセンターの各ブロック構成を示す図である。
【図３】本実施の形態における入室制御処理を示すシーケンス図である。
【発明を実施するための形態】
【００１５】
以下、図面に基づいて、本発明の好適な実施の形態について説明する。
【００１６】
図１は、本発明に係る入退室管理システムの一実施の形態を示す概略的な全体構成図である。図１には、ビル管理会社の顧客となるビル１と、ビル管理会社のデータセンター２と、ビル１のＬＡＮシステムとデータセンター２とを接続するネットワーク３が示されている。なお、各ビル１は、同等のシステム構成を有していればよいので、図１では、１つのビル１のみＬＡＮシステムの構成を示した。
【００１７】
ビル１には、入退室管理システム４と、監視カメラシステム５と、外部のネットワーク３と接続するゲートウェイ（ＧＷ）６と、をＬＡＮ７で接続したＬＡＮシステムが構築されている。なお、図１には、本実施の形態の説明に用いない構成要素は省略している。
【００１８】
入退室管理システム４は、ビル１及びビル１内の各部屋のユーザの入退室を管理するためのシステムである。各部屋の出入口となる扉８には電気錠９が取り付けられており、また部屋の入口近傍には、扉８に対応させてＱＲコード（登録商標）リーダ１０が設置される。
【００１９】
ビル１を利用する従業員や外来者等（以下、「ユーザ」と総称）は、ビル１を移動する際、個人使用する携帯端末１１を携行する。本実施の形態では、電子メール機能等のコミュニケーションツールを有するスマートフォンを想定して説明するが、タブレット端末等他の種類の携帯端末でもよい。なお、本実施の形態では、各ユーザは各自が個人で持っている携帯端末１１を利用することを想定しているが、個人所有の携帯端末１１、すなわち私物でなくても会社から貸与された携帯端末１１を利用するようにしてもよい。
【００２０】
データセンター２は、管理会社において顧客となる複数のビル１のユーザに関する情報を一括して管理するセンターであり、１又は複数のサーバコンピュータを用いて情報を管理する。なお、本実施の形態では、データセンター２において情報の管理に利用するサーバコンピュータを説明の便宜上、「データセンター」と称することにする。また、データセンター２は、各ビル１の入退室管理システム４と連携して各ビル１における入退室管理業務を支援する。そのため、本実施の形態では、各入退室管理システム４において共通する入退室管理機能をデータセンター２に持たせている。入退室管理システム４が１つの場合には、データセンター２が持つ機能を入退室管理システム４に持たせてもよい。このように、本実施の形態では、各入退室管理システム４が各ビル１において提供する入退室管理機能をデータセンター２及び各入退室管理システム４に分けて持たせているが、広義には、データセンター２及びビル１に設置の入退室管理システム４によって入退室管理システムが構築されるということができる。
【００２１】
監視カメラシステム５は、ビル１の内外に監視カメラ１２を散在配置し、監視員が監視カメラ１２による撮影画像（動画像）をモニタリングすることによってビル１の監視を行うシステムである。本実施の形態における監視カメラ１２は、各部屋の扉８の近傍において、少なくとも扉の前に立つユーザを撮影範囲とする位置に設置されている。
【００２２】
ところで、現在、日本国内において仕事に従事している人で所有している人がいないといってよいほど、携帯端末は普及しており、ビル１の中にいても移動する際には携帯端末１１を携行する場合がほとんどである。一般的な入退室管理システムでは、ビル１内を移動するときには入退室カードをユーザに携行させる。そして、ユーザが入室する際には、携帯している入退室カードを部屋の出入口に設定されているカードリーダに読み取らせる。
【００２３】
本実施の形態における入退室管理システム４（及びデータセンター２）は、監視カメラシステム５が保持管理する撮影画像を有効利用すると共に携帯端末１１を利用して入退室管理を行うことを特徴としている。特に、携帯端末１１を利用することによって入退室カードを各ユーザに携行させなくてもセキュリティ性を維持した入退室管理を実現できるようにした。なお、仮に監視カメラシステム５がビル１に導入されていない場合、部屋の扉８の前に立つユーザを撮影範囲とする位置にカメラを新規に設置するよう入退室管理システム４を構成する。
【００２４】
入退室管理システム４及びデータセンター２はそれぞれ、１又は複数のコンピュータにより実現される。コンピュータは、ＣＰＵ、ＲＯＭ、ＲＡＭ、記憶手段として設けられたハードディスクドライブ（ＨＤＤ）、通信手段として設けられたネットワークインタフェースを内部バスに接続して構成される。必要により、ユーザインタフェース手段（入力手段としてのマウスやキーボード、表示手段としてのディスプレイ）を設けてもよい。
【００２５】
図２は、本実施の形態においてビルに設置されている監視カメラシステム５及び入退室管理システム４と、データセンター２の各ブロック構成を示す図である。なお、本実施の形態の説明に用いない構成要素については、図から省略している。
【００２６】
監視カメラシステム５は、監視カメラ１２の動作を制御する撮影制御部５１と、監視カメラ１２と当該監視カメラ１２の設置位置に対応する扉８を識別する扉識別情報（扉ＩＤ）とを紐付けるテーブル５２を有している。
【００２７】
入退室管理システム４は、ＱＲコード読取部４１、鍵制御部４２、ユーザ認証部４３及び認証情報記憶部４４を有している。ＱＲコード読取部４１は、ＱＲコードリーダ１０により読み取られたＱＲコードを受け付ける。ＱＲコード読取部４１は、ユーザが携行している携帯端末１１に所定の操作をすることで画面表示されたＱＲコードを読み取るが、そのＱＲコードには、当該ユーザの識別情報（ユーザＩＤ）及び当該ユーザが前に立つ扉８の識別情報（扉ＩＤ）がコード化されて解読可能に含まれている。
【００２８】
鍵制御部４２は、電気錠９の開閉制御を行う。鍵制御部４２は、通常、電気錠９を施錠しており、ユーザ認証部４３による認証に成功した場合に電気錠９を解錠して入室できるような状態にする。ユーザ認証部４３は、ＱＲコード読取部４１がＱＲコードを読み取ると、ＱＲコードを解読して取得した情報に基づきユーザ認証を行う。認証に成功し、当該ユーザが入室しようとする部屋への入室権限がある場合、ユーザ認証部４３は、上記の通り該当する部屋の扉８の電気錠９を鍵制御部４２に解錠させる。
【００２９】
認証情報記憶部４４には、ユーザ認証部４３によるユーザ認証に用いられる認証情報が記憶される。認証情報は、扉ＩＤに、当該扉８のある部屋への入室が許可されているユーザ、換言すると当該部屋への入室権限のあるユーザのユーザＩＤを対応付けして生成される。
【００３０】
入退室管理システム４における各構成要素４１〜４３は、入退室管理システム４を形成するコンピュータと、コンピュータに搭載されたＣＰＵで動作するプログラムとの協調動作により実現される。また、認証情報記憶部４４は、入退室管理システム４に搭載されたＨＤＤにて実現される。あるいは、ＲＡＭ又は外部にある記憶手段をネットワーク経由で利用してもよい。
【００３１】
データセンター２は、画像取得部２１、画像解析部２２、ユーザ特定部２３、ＱＲコード生成部２４、ＱＲコード送信部２５、個人情報登録部２６及びユーザ情報記憶部２７を有している。画像取得部２１は、扉８の前に立つユーザを撮影する監視カメラ１２からの撮影画像を監視カメラシステム５から取得する。監視カメラシステム５から取得する撮影画像には、監視カメラ１２に対応する扉８の扉ＩＤが付加されている。画像解析部２２は、画像取得部２１が取得した撮影画像を解析することによって撮影画像から人物画像（扉８の前に立つユーザの画像）を抽出する。ユーザ特定部２３は、画像解析部２２が抽出した人物画像をユーザ情報記憶部２７に登録されている各ユーザの顔画像と照合することによって、監視カメラ１２により撮影されたユーザを特定する。ＱＲコード生成部２４は、画像解析部２２が特定したユーザのユーザＩＤと監視カメラシステム５から取得した扉ＩＤとを含むＱＲコードを生成する。ＱＲコード送信部２５は、ユーザ情報記憶部２７を参照して、ＱＲコード生成部２４により生成されたＱＲコードを当該ユーザの携帯端末１１へ送信する。
【００３２】
ユーザ情報記憶部２７には、各ビルのユーザに関する個人情報（ユーザ情報）が記憶される。個人情報には、ユーザのユーザＩＤ、当該ユーザの顔画像、当該ユーザの連絡先情報として当該ユーザが使用する携帯端末１１のメールアドレス及び電話番号が対応付けして設定される。
【００３３】
上記の通り、ユーザ情報記憶部２７には各ビルのユーザに関する個人情報が記憶されるが、個人情報登録部２６は、ユーザ情報記憶部２７に個人情報、特に外来者についての個人情報を登録する機能を有している。
【００３４】
データセンター２における各構成要素２１〜２６は、データセンター２を形成するコンピュータと、コンピュータに搭載されたＣＰＵで動作するプログラムとの協調動作により実現される。また、ユーザ情報記憶部２７は、データセンター２に搭載されたＨＤＤにて実現される。あるいは、ＲＡＭ又は外部にある記憶手段をネットワーク経由で利用してもよい。
【００３５】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３６】
次に、本実施の形態における入室制御について図３に示すシーケンス図を用いて説明する。
【００３７】
ユーザは、部屋に入室するためにその部屋の出入口となる扉８の前に立つと、監視カメラ１２は、扉８の前にいるユーザを撮影する（ステップ１１１）。監視カメラシステム５は、例えば監視カメラ１２による撮影により得られる動画像の変化を検知することで扉８の前にいるユーザを検知する。監視カメラシステム５は、ユーザを検知した撮影画像（静止画像）に、撮影した監視カメラ１２に対応する扉８の扉ＩＤを付加してデータセンター２へ送信する（ステップ１１２）。
【００３８】
データセンター２において、画像取得部２１が監視カメラシステム５から送信されてくる撮影画像を受信すると（ステップ１２１）、画像解析部２２は、取得した撮影画像を画像解析することで、撮影されているユーザの画像、少なくとも顔画像を抽出する（ステップ１２２）。続いて、ユーザ特定部２３は、抽出されたユーザの顔画像をユーザ情報記憶部２７に登録されている各ユーザの顔画像と照合することで、撮影されたユーザを特定し、更に当該ユーザのユーザＩＤを取得する（ステップ１２３）。なお、取得した撮影画像からユーザを特定できない場合、その旨を入退室管理システム４に通知し、入退室管理システム４に何らかの対応を取らせるようにしてもよい。
【００３９】
続いて、ＱＲコード生成部２４は、画像解析部２２が特定したユーザのユーザＩＤと監視カメラシステム５から取得した扉ＩＤとを含むＱＲコードを生成する（ステップ１２４）。そして、ＱＲコード送信部２５は、当該ユーザのメールアドレスをユーザ情報記憶部２７から読み出し、ＱＲコード生成部２４により生成されたＱＲコードを、読み出したメールアドレス宛、すなわち当該ユーザの携帯端末１１へ送信する（ステップ１２５）。
【００４０】
扉８の前に立っているユーザが携行している携帯端末１１がメールを受信すると（ステップ１３１）、ユーザは、所定の操作を行って受信メールに含まれているＱＲコードを携帯端末１１の操作パネルに画面表示させる（ステップ１３２）。なお、ＱＲコードを含むメールを受信してから画面に表示されるまでの時間に期限を設定してもよい。すなわち、ＱＲコードの有効期限を設定しておき、その時間内、例えば１分以内にＱＲコードが表示されなければ、そのＱＲコードを無効としてもよい。
【００４１】
ユーザは、ＱＲコードを携帯端末１１の操作パネルに表示して、操作パネルをＱＲコードリーダ１０の読取部に対向させる。ＱＲコード読取部４１は、このユーザ操作に応じてＱＲコードを読み取ると（ステップ１４１）、ユーザ認証部４３は、ＱＲコードを解読してユーザＩＤ及び扉ＩＤを取得することで、扉ＩＤに対応する扉８のある部屋に入室しようとするユーザを特定する（ステップ１４２）。続いて、ユーザ認証部４３は、ＱＲコードから得た扉ＩＤとユーザＩＤとの組を、認証情報記憶部４４に設定されている情報と照合することでユーザ認証を行う（ステップ１４３）。比較した結果、一致した場合、ユーザ認証部４３は、当該ユーザには当該部屋の入室権限があると判断して、当該扉８の電気錠９を解錠するよう鍵制御部４２に指示する。鍵制御部４２は、この指示に応じて該当する扉８の電気錠９を解錠し、これにより、扉８はユーザが入室可能な状態になる（ステップ１４４）。なお、比較した結果、一致しない場合、ユーザ認証部４３は、ユーザ認証に失敗したものとして、鍵制御部４２に当該扉８の電気錠９を解錠させることなく当該扉８の閉状態を維持する。
【００４２】
以上説明したように、本実施の形態によれば、携帯端末１１を有効利用することで、入退室カードを利用しなくてもセキュリティ性を維持しつつ入退館管理を行うことができる。
【００４３】
上記説明では、ユーザの認証に用いる認証コードとしてＱＲコードを利用し、またコード受付手段としてＱＲコードを読み取るＱＲコードリーダ１０を扉８の近傍に設置する場合を例にして説明した。この構成は一例であってこれに限る必要はない。例えば、ＱＲコードの代わりに他の二次元コードデータあるいはバーコードを用いてもよい。この場合、コード受付手段として当該データコードを読取可能なコードリーダを利用する。
【００４４】
あるいは、認証コードとして文字列を生成してもよい。文字列を生成する場合、１回のみ使用できるワンタイムパスワードを生成するのが好適である。文字列を入力させる場合、コード受付手段としてコードリーダの代わりにキー入力手段を扉８の近傍に設置する。例えば、文字列が数字のみから構成される場合には、テンキーを設置すればよい。
【００４５】
あるいは、監視カメラ１２をコード生成手段として利用してもよい。この場合、上記説明では、ユーザは、携帯端末１１に表示されたＱＲコードをＱＲコードリーダ１０に読み取らせていたが、監視カメラ１２に撮影させる。この場合、入退室管理システム４は、その撮影画像を取得する機能及び画像解析機能及びＱＲコード解読機能を有することになる。入退室管理システム４は、監視カメラシステム５から取得した撮影画像を画像解析することでＱＲコードを検出すると共にＱＲコードを解読することでユーザＩＤ及び扉ＩＤを抽出する。
【００４６】
なお、ＱＲコードが送られてきた携帯端末１１を他人に貸し渡して他人が監視カメラ１２にＱＲコードを読み取らせると、他人が不正に入室できてしまう。これを解消するために、例えば、ＱＲコードと顔を一緒に監視カメラ１２に撮影させるようにしてもよい。この場合、撮影画像は、データセンター２に送られ、画像解析部２２及びユーザ特定部２３によってＱＲコードを使用しているユーザを特定させることで、ＱＲコードを読み取らせたユーザを確認するようにしてもよい。
【００４７】
また、正当なユーザが認証を受けると、その正当なユーザが入室権限のない他のユーザを引き連れて入室してしまうことは防止できない。そこで、入室時の模様、例えば電気錠９を解錠してから所定時間（例えば１０秒、あるいは施錠されるまでの間）、監視カメラ１２に撮影させることで入室時における状況を記録するようにしてもよい。
【００４８】
ところで、本実施の形態においては、外来者がビル１を訪問する際にも適用できるようにした。例えば、ビル１に訪問することが事前にわかっている場合、訪問予定者等は、その訪問予定者の個人情報をデータセンター２に通知する。個人情報登録部２６は、訪問者にユーザＩＤを割り振り、ユーザＩＤに外部から送られてきた個人情報を対応付けてユーザ情報記憶部２７に登録する。一方、入退室管理システム４では、訪問予定者に対して入室を許可する部屋の扉８の扉ＩＤと当該訪問者のユーザＩＤとを組にして認証情報記憶部４４に登録する。これにより、訪問者に対しても入退室カードを渡さずに入退室管理及び入室制限を行うことができる。
【００４９】
また、本実施の形態においては、ＱＲコード送信部２５に、電子メールを利用してＱＲコードを携帯端末１１へ送信させるようにしたが、ＱＲコードの送信に利用するツールは電子メールに限らず、メッセージ機能やコミュニケーションアプリを利用してもよい。この場合、ユーザ情報記憶部２７に登録する連絡先情報には、メールアドレスの代わりにメッセージ機能等においてユーザを特定する情報が連絡先情報として登録されることになる。
【００５０】
また、扉８の前に複数のユーザがいると、監視カメラ１２による撮影画像に複数のユーザが映されている可能性がある。この場合、例えば撮影画像の中心にいるユーザ、扉８に最も近いユーザ等所定の条件に合致するユーザ１人を選出して、当該ユーザを上記入室制御対象としてもよい。あるいは、撮影画像から特定できるユーザ全員を上記入室制御対象としてもよい。映されたユーザ全員を入室制御対象とする場合、データセンター２は、撮影画像から特定できるユーザ全員に対してＱＲコードを生成してメール配信することになる。
【００５１】
なお、監視カメラシステム５は、監視の目的上、監視カメラ１２を常時動作させて動画像を取得することを想定して説明したが、ユーザが扉８の前にいるときに、扉８の前にいることを手動操作、例えば別途設置されているボタンを操作することで監視カメラシステム５に通知して監視カメラ１２に撮影させるようにしてもよい。
【符号の説明】
【００５２】
１  ビル、２  データセンター、３  ネットワーク、４  入退室管理システム、５  監視カメラシステム、６  ゲートウェイ（ＧＷ）、７  ＬＡＮ、８  扉、９  電気錠、１０  ＱＲコードリーダ、１１  携帯端末、１２  監視カメラ、２１  画像取得部、２２  画像解析部、２３  ユーザ特定部、２４  ＱＲコード生成部、２５  ＱＲコード送信部、２６  個人情報登録部、２７  ユーザ情報記憶部、４１  ＱＲコード読取部、４２  鍵制御部、４３  ユーザ認証部、４４  認証情報記憶部、５１  撮影制御部、５２  テーブル。
【図１】
2020042374.tif 000003
【図２】
2020042374.tif 000004
【図３】
2020042374.tif 000005